(57)【要約】【課題】ＡＤＦ読取機能による読み取りと手置き読取機能による読み取りとを混在して行いつつ一連の原稿の画像データを生成することを可能とする。【解決手段】イメージセンサ１５は、イメージセンサ移送機構部１７によって搬送されつつ原稿台に載置された原稿を読み取る。この際、原稿搬送機構部１８による原稿の搬送を行うことでＡＤＦ読取が行われ、また原稿の搬送を行わないことで手置き読取が行われる。ＣＰＵ１１は、ＡＤＦ読取または手置き読取が終了する毎に、次原稿の読み取りを行うか否かの指定を受け付ける。そして次原稿の読み取りが指定されたならば、ＡＤＦ読取または手置き読取を実行する。原稿読取を完了する旨の指定がなされるまでの間にＡＤＦ読取または手置き読取で生成された画像データをＣＰＵ１１は、読取順序で並ぶ一連の原稿の各ページの画像データとして画像メモリ１４に蓄積する。【選択図】    図１
2010183640.tif 000002
【特許請求の範囲】
【請求項１】
原稿トレイにセットされた原稿を所定の読取位置へと順次搬送しつつ、前記読取位置にて前記原稿の読み取りを行う第１読取手段と、
原稿台に載置された原稿をその原稿の搬送を行うことなしに読み取る第２読取手段と、
前記第１読取手段および前記第２読取手段の原稿読取により生成された画像データを記憶する記憶手段と、
前記第１読取手段あるいは前記第２読取手段により原稿が読み取られた後に画像形成を待機する特殊モードを設定するモード設定手段と、
前記モード設定手段が前記特殊モードを設定したとき、前記第１読取手段により前記原稿トレイにセットされた全ての原稿を読み取り終えた場合、および前記第２読取手段により前記原稿台に載置された原稿を読み取り終えた場合の少なくとも一方において、原稿読取を継続して行う旨の指示、および原稿読取完了の旨の指示を受け付ける受付手段と、
前記原稿トレイに原稿がセットされているか否かを判断する判断手段と、
前記受付手段により原稿読取の継続の指示が受け付けられた場合において、前記判断手段が前記原稿トレイに原稿がセットされていると判断した場合に前記第１読取手段に原稿読取を開始させ、前記判断手段が前記原稿トレイに原稿がセットされていないと判断した場合に前記第２読取手段に原稿読取を開始させる読取制御手段と、
前記受付手段により原稿読取完了の旨の指示が受け付けられるまでの間に前記第１読取手段あるいは前記第２読取手段の原稿読取により生成された画像データを一連の原稿の画像データとして前記記憶手段に記憶させる記憶制御手段と、
前記受付手段により原稿読取完了の旨の指示が受け付けられた場合に、前記記憶手段に記憶された前記一連の原稿の画像データの画像を記録用紙へ形成させる画像形成手段と、
を具備したことを特徴とする画像形成装置。
【請求項２】
前記受付手段は、原稿読取の開始を指示するためのスタートキーが押下げられたことをもって原稿読取を継続して行う旨の指示を受け付けることを特徴とする請求項１に記載の画像形成装置。
【請求項３】
原稿トレイにセットされた原稿を所定の読取位置へと順次搬送しつつ、前記読取位置にて前記原稿の読み取りを行う第１読取手段と、原稿台に載置された原稿をその原稿の搬送を行うことなしに読み取る第２読取手段と、前記第１読取手段および前記第２読取手段の原稿読取により生成された画像データを記憶する記憶手段とを備えた画像形成装置の制御方法であって、
前記第１読取手段あるいは前記第２読取手段により原稿が読み取られた後に画像形成を待機する特殊モードを設定するモード設定ステップと、
前記モード設定ステップにて前記特殊モードが設定されたとき、前記第１読取手段により前記原稿トレイにセットされた全ての原稿を読み取り終えた場合、および前記第２読取手段により前記原稿台に載置された原稿を読み取り終えた場合の少なくとも一方において、原稿読取を継続して行う旨の指示、および原稿読取完了の旨の指示を受け付ける受付ステップと、
前記受付ステップにて原稿読取の継続の指示が受け付けられた場合、前記原稿トレイに原稿がセットされているか否かを判断する判断ステップと、
前記判断ステップにて前記原稿トレイに原稿がセットされていると判断された場合に前記第１読取手段に原稿読取を開始させ、前記判断ステップにて前記原稿トレイに原稿がセットされていないと判断された場合に前記第２読取手段に原稿読取を開始させる読取制御ステップと、
前記受付ステップにて原稿読取完了の旨の指示が受け付けられるまでの間に前記第１読取手段あるいは前記第２読取手段の原稿読取により生成された画像データを一連の原稿の画像データとして前記記憶手段に記憶させる記憶制御ステップと、
前記受付ステップにて原稿読取完了の旨の指示が受け付けられた場合に、前記記憶手段に記憶された前記一連の原稿の画像データの画像を記録用紙へ形成させる画像形成ステップと、
を具備したことを特徴とする制御方法。
【発明の詳細な説明】
【技術分野】
【０００１】
本発明は、ディジタル複合機などのような機器に用いられて原稿の読み取りを行う画像形成装置及びその制御方法に関する。
【背景技術】
【０００２】
この種の装置には、複数枚のシート紙よりなる一連のシート原稿の読み取りを容易に行うためのＡＤＦ（Auto Document Feeder）読取機能と、ブック原稿のような原稿の読み取りを行うための手置き読取機能とをそれぞれ備えたものがある。
【０００３】
ここでＡＤＦ読取機能では、原稿トレイにセットされた原稿を１枚ずつ搬送しつつイメージセンサにより原稿の読み取りを行う。また手置き読取機能では、原稿台に載置された原稿に沿ってイメージセンサを移動させつつ、このイメージセンサにより原稿台上の原稿の読み取りを行う。
【０００４】
従って、ユーザは読み取らせたい原稿に適した読取機能を使用して様々な形態の原稿の読み取りを行わせることが可能となっている。
【先行技術文献】
【特許文献】
【０００５】
【特許文献１】特開平１１−１７７８０５号公報
【発明の概要】
【発明が解決しようとする課題】
【０００６】
ところが、このようにＡＤＦ読取機能と手置き読取機能とを有した原稿読取装置では、ＡＤＦ読取機能による原稿読取と手置き読取機能による原稿読取とは全く別々に行われる。
【０００７】
従って、例えば複数のシート紙によりなる一連のシート原稿からのコピー原稿にブック原稿からのコピー原稿を組み合わせることで新たな一連の原稿を得ようとする場合には、ユーザは一連のシート原稿に関するＡＤＦ読取機能を使用してのコピーと、ブック原稿に関する手置き読取機能を使用してのコピーとをそれぞれ別個に行わせた上で、出力されたコピー原稿を手作業によって並べ替える必要があった。
【０００８】
なお、シート原稿のコピー原稿の後にブック原稿のコピー原稿を付加したり、あるいはその逆なのであれば、コピーする順序を調整することで所望の順序通りでコピー原稿を排出させることができるから、コピー原稿を手作業によって組み合わせる必要は無くなる。
【０００９】
しかしながら、複数部をコピー使用とする場合には、機械式のソータを設けていない場合には、コピーする順序を調整しても、手作業による並べ替えを不要とするようにコピー原稿を排出させることは不可能である。
【００１０】
以上のように従来は、ＡＤＦ読取機能を使用して原稿を読み取って得られた画像データと、手置き読取機能を使用して原稿を読み取って得られた画像データとは、それぞれ全く別のデータとして扱われていたため、ＡＤＦ読取機能を使用して読み取るのに適した原稿と、手置き読取機能を使用して読み取るのに適した原稿とを組み合わせてなる一連の原稿についての画像データを生成することはできなかった。
【００１１】
本発明はこのような事情を考慮してなされたものであり、その目的とするところは、ＡＤＦ読取機能による読み取りと手置き読取機能による読み取りとを混在して行いつつ一連の原稿の画像データを生成することが可能な画像形成装置及びその制御方法を提供することにある。
【課題を解決するための手段】
【００１２】
以上の目的を達成するために本発明の一実施形態における画像形成装置は、原稿トレイにセットされた原稿を所定の読取位置へと順次搬送しつつ、前記読取位置にて前記原稿の読み取りを行う第１読取手段と、原稿台に載置された原稿をその原稿の搬送を行うことなしに読み取る第２読取手段と、前記第１読取手段および前記第２読取手段の原稿読取により生成された画像データを記憶する記憶手段と、前記第１読取手段あるいは前記第２読取手段により原稿が読み取られた後に画像形成を待機する特殊モードを設定するモード設定手段と、前記モード設定手段が前記特殊モードを設定したとき、前記第１読取手段により前記原稿トレイにセットされた全ての原稿を読み取り終えた場合、および前記第２読取手段により前記原稿台に載置された原稿を読み取り終えた場合の少なくとも一方において、原稿読取を継続して行う旨の指示、および原稿読取完了の旨の指示を受け付ける受付手段と、前記原稿トレイに原稿がセットされているか否かを判断する判断手段と、前記受付手段により原稿読取の継続の指示が受け付けられた場合において、前記判断手段が前記原稿トレイに原稿がセットされていると判断した場合に前記第１読取手段に原稿読取を開始させ、前記判断手段が前記原稿トレイに原稿がセットされていないと判断した場合に前記第２読取手段に原稿読取を開始させる読取制御手段と、前記受付手段により原稿読取完了の旨の指示が受け付けられるまでの間に前記第１読取手段あるいは前記第２読取手段の原稿読取により生成された画像データを一連の原稿の画像データとして前記記憶手段に記憶させる記憶制御手段と、前記受付手段により原稿読取完了の旨の指示が受け付けられた場合に、前記記憶手段に記憶された前記一連の原稿の画像データの画像を記録用紙へ形成させる画像形成手段と、を備えている。
【発明の効果】
【００１３】
このような手段を講じた本発明によれば、第１読取手段によるＡＤＦ読取と、第２読取手段による手置き読取とを混在させて、一連の原稿の各ページの画像データを順次読み取ることが可能となり、ＡＤＦ読取機能による読み取りと手置き読取機能による読み取りとを混在して行いつつ一連の原稿の画像データを生成することが可能な画像形成装置となる。
【００１４】
また、特殊モードを設定しなければ、受付手段による指定の待ち受けは行われず、その指定をユーザが行う必要が無くなり、かつ必要に応じて第１読取手段および第２読取手段による複数の原稿読取によりそれぞれ生成された画像データを一連の原稿の画像データとして記憶手段に蓄積させる処理を行わせることが可能な画像形成装置となる。
【図面の簡単な説明】
【００１５】
【図１】本発明の原稿読取装置を適用して構成されたディジタル複合機の要部構成を示すブロック図。
【図２】図１中のＣＰＵ１１による待機時処理における処理手順を示すフローチャート。
【図３】図１中の操作パネル２４の表示部での表示画面の変化の一例を示す図。
【図４】図１中のＣＰＵ１１によるビルトジョブ処理における処理手順を示すフローチャート（その１）。
【図５】図１中のＣＰＵ１１によるビルトジョブ処理における処理手順を示すフローチャート（その２）。
【発明を実施するための形態】
【００１６】
以下、図面を参照して本発明の原稿読取装置を適用して構成されたディジタル複合機の一実施形態につき説明する。
【００１７】
図１は本実施形態に係るディジタル複合機の要部構成を示すブロック図である。
【００１８】
この図において、破線で囲い、符号１を付してあるものが本実施形態に係るディジタル複合機である。
【００１９】
この図に示すように本実施形態のディジタル複合機１は、ＣＰＵ１１、ＲＯＭ１２、ＲＡＭ１３、画像メモリ１４、イメージセンサ１５、画処理部１６、イメージセンサ移送機構部１７、原稿搬送機構部１８、プリンタ１９、符号化・復号化部２０、網制御回路（ＮＣＵ）２１、モデム２２、パーソナルコンピュータインタフェース（以下、ＰＣインタフェースと称する）２３および操作パネル２４を有しており、これらがシステムバス２５を介して互いに接続されて構成されている。
【００２０】
ＣＰＵ１１は、ＲＯＭ１２に格納された制御プログラムに基づいて本ディジタル複合機の各部を総括制御するための制御処理を行なうことでディジタル複合機としての動作を実現するものである。
【００２１】
ＲＯＭ１２は、ＣＰＵ１１の制御プログラム等を記憶している。
【００２２】
ＲＡＭ１３は、ＣＰＵ１１が各種の処理を行う上で必要となる各種の情報を格納するために使用される。
【００２３】
画像メモリ１４は、送受信、画像読み取り、あるいは画像印刷などの画像データ処理に係る画像データを蓄積記憶する。
【００２４】
イメージセンサ１５は、例えばＣＣＤラインセンサなどを用いてなり、図示しない原稿台に載置された原稿を主走査して、画像信号を生成する。
【００２５】
画処理部１６はイメージセンサ１５に接続されている。そして画処理部１６は、イメージセンサ１５で生成された画像信号に関して、ディジタル化、シェーディング補正や暗時補正などの各種の補正処理などを行って画像データを生成する。
【００２６】
イメージセンサ移送機構部１７は、副走査のために原稿台に沿ってイメージセンサ１５を往復移動させる。
【００２７】
原稿搬送機構部１８は、図示しない原稿トレイにセットされた原稿を、１枚ずつ原稿台上へと順次搬送する。
【００２８】
プリンタ１９は、画像データが示す画像を記録用紙に対して印刷する。
【００２９】
符号化・復号化部２０は、画像データを圧縮符号化したり、圧縮符号化された画像データを復号化する。
【００３０】
ＮＣＵ２１には、ＰＳＴＮ（Public Switched Telephone Network）に収容されたＰＳＴＮ回線２が接続される。そしてこのＮＣＵ２１は、接続されたＰＳＴＮ回線２に関して、状態監視や網への発信処理などを行なう。またＮＣＵ２１は、ＰＳＴＮ回線２に対して送出するファクシミリ伝送信号の等化を図るとともに、レベルを設定する。
【００３１】
モデム２２は、ＮＣＵ２１に接続されている。そしてこのモデム２２は、画像データや制御データを変調して、ＰＳＴＮ回線２へと送出するためのファクシミリ伝送信号や制御信号を生成する。またモデム２２は、ＰＳＴＮ回線２を介して到来したファクシミリ伝送信号や制御信号を復調して画像データや制御データを再生する。
【００３２】
ＰＣインタフェース２３には、例えばケーブルなどを介してパーソナルコンピュータ（ＰＣ）３が接続される。そしてＰＣインタフェース２３は、ＣＰＵ１１とパーソナルコンピュータ３との間での制御コマンドや画像データの授受を仲立ちする。
【００３３】
操作パネル２４は、ユーザによるＣＰＵ１１に対する各種の指示入力を受け付けるためのキー入力部や、ユーザに対して報知すべき各種の情報を表示するための表示部などを有したものである。
【００３４】
ところで、ＣＰＵ１１がＲＯＭ１２に格納された制御プログラムに基づいて動作することで実現される制御手段は、ファクシミリ装置における周知の一般的なものに加えて、モード切換手段、継続指定受付手段、読取方法選択手段、蓄積制御手段、条件指定受付手段および条件設定手段を有している。
【００３５】
ここでモード切換手段は、一連の原稿をＡＤＦ読取機能および手置き読取機能の双方を用いて行うことが要求された場合にのみ、後述するビルトジョブ処理を行わせる。
【００３６】
継続指定受付手段は、ビルトジョブ処理中にて、１回の原稿読取が終了した後に原稿読取を継続して行うか否かの指定を受け付ける。
【００３７】
読取方法選択手段は、ビルトジョブ処理中にて、原稿トレイでの原稿セット状態に基づいてＡＤＦ読取機能および手置き読取機能の一方を選択してその読取機能での原稿読取を開始させる。
【００３８】
蓄積制御手段は、前記継続指定受付手段により原稿読取の完了指定が受け付けられるまでの間に生成された画像データを一連の原稿の画像データとして画像メモリ１４に蓄積させる。
【００３９】
条件指定受付手段は、前記継続指定受付手段が原稿読取を継続して行うか否かの指定を待ち受けている際に、読み取りに関する画質および濃度所定の条件の指定を受け付ける。
【００４０】
そして条件設定手段は、前記継続指定受付手段により原稿読取の継続指定が受け付けられて原稿読取が行われる際には、前記条件指定受付手段により最も新しく受け付けられた指定により更新された読取条件での読み取りを行うように制御する。
【００４１】
次に以上のように構成されたディジタル複合機の動作につきＣＰＵ１１の処理手順に従って説明する。
【００４２】
まず何らかのジョブを終了して待機状態になると、ＣＰＵ１１は図２に示すような待機時処理を開始する。
【００４３】
この待機時処理においてＣＰＵ１１はまず、操作パネル２４にてユーザによるキー操作がなされるのを待ち受ける（ステップＳＴ１）。このとき操作パネル２４の表示部には、図３に示す表示画面ＳＣ１が表示される。なお図３において符号Ｃを付してあるのは、各表示画面中に表示されたカーソルである。
【００４４】
この状態からユーザが操作パネル２４にて何らかのキー操作を行ったならば、ＣＰＵ１１はそれに応じて、そのキー操作がＥｎｔｅｒキーの押下であるか、あるいは項目選択操作であるかの判断を行う（ステップＳＴ２およびステップＳＴ３）。
【００４５】
ここで、行われたキー操作がＥｎｔｅｒキーの押下および項目選択操作のいずれでも無い場合、ＣＰＵ１１はキー操作の内容に応じた他処理へと処理を移行する。
【００４６】
しかしながら、例えば選択項目の順送りまたは逆送りを指定するためのキーの押下などといった項目選択操作がなされたのであればＣＰＵ１１は、その項目選択操作を受け付ける（ステップＳＴ４）。このとき、受け付けられた項目選択操作に応じて、表示画面ＳＣ１でのカーソルＣの表示位置が変更される。すなわちここでは、ページ付加、ビルトジョブおよびモードメモリのそれぞれの特殊機能のいずれかを選択するための選択操作を受け付ける。
【００４７】
こののち、ＣＰＵ１１はステップＳＴ１のキー操作待ち受け状態に戻る。
【００４８】
そしてＣＰＵ１１がステップＳＴ１の待ち受け状態にあるときにＥｎｔｅｒキーの押下がなされたならば、続いてＣＰＵ１１は選択項目がビルトジョブとなっているか否かの判断を行う（ステップＳＴ５）。
【００４９】
ここでビルトジョブが選択されていないのであれば、ＣＰＵ１１は選択された項目に応じた他処理へと処理を移行する。
【００５０】
しかしながらビルトジョブが選択されているのであれば、ＣＰＵ１１は続いて、Ｅｎｔｅｒキーの押下または項目選択操作が操作パネル２４にてなされるのを待ち受ける（ステップＳＴ６およびステップＳＴ７）。このとき操作パネル２４の表示部には、図３に示す表示画面ＳＣ２が表示される。
【００５１】
ここで項目選択操作がなされたのであればＣＰＵ１１は、その項目選択操作を受け付ける（ステップＳＴ８）。このとき、受け付けられた項目選択操作に応じて、表示画面ＳＣ２でのカーソルＣの表示位置が変更される。すなわちここでは、ビルトジョブのＯＮ／ＯＦＦを選択するための選択操作を受け付ける。
【００５２】
一方、Ｅｎｔｅｒキーの押下がなされたならば、続いてＣＰＵ１１は選択項目が「ＯＮ」となっているか否かの判断を行う（ステップＳＴ９）。
【００５３】
そしてＣＰＵ１１は、ここで「ＯＮ」が選択されていた場合にのみ、ビルトジョブ処理を起動し（ステップＳＴ１０）、この上で待機時処理を終了する。「ＯＦＦ」が選択されていた場合にはＣＰＵ１１は、処理をステップＳＴ１１に戻す。
【００５４】
さて、以上のような待機時処理においてビルトジョブ処理を起動すると、ＣＰＵ１１は図４および図５に示すようなビルトジョブ処理を実行する。
【００５５】
以下、ユーザが、少なくとも１枚のシート紙よりなる一連のシート原稿の後ろに、１枚のブック原稿を付加してなる新たな一連の原稿をコピー結果とするコピーを行おうとしており、かつシート紙よりなる一連のシート原稿の読み取りはデフォルトの読み取り条件でＡＤＦ読取機能によって、またブック原稿の読み取りは読み取り条件のうちの画質を「写真」ならびに濃度を「トナーセーブ」にそれぞれ変更して手置き読取機能によってそれぞれ行う場合を主体としてビルトジョブ処理について詳細に説明する。
【００５６】
ビルトジョブ処理を開始するとＣＰＵ１１はまず、原稿サイズを「ＮＵＬＬ」に初期設定する（図４のステップＳＴ２１）。
【００５７】
そしてこの後にＣＰＵ１１は、操作パネル２４にてユーザによるキー操作がなされるのを待ち受ける（ステップＳＴ２２）。このとき操作パネル２４の表示部には、図３に示す表示画面ＳＣ３が表示される。この表示画面ＳＣ３に示されているのは、デフォルトのコピー条件である。
【００５８】
この状態からユーザが操作パネル２４にて何らかのキー操作を行ったならば、ＣＰＵ１１はそれに応じて、そのキー操作がスタートキーの押下であるか否かの判断を行う（ステップＳＴ２３）。
【００５９】
このときにユーザは、操作パネルに設けられた画質設定キーや濃度設定キーを押下することで、画質や濃度の変更設定を行うことが可能である。すなわち、ＣＰＵ１１はこれらのスタートキー以外のキーが操作されたのであれば、コピーの条件指定の受け付け（ステップＳＴ２４）に処理を移行して、ここでコピーの条件の変更指定を受け付ける。そしてこの際に必要があれば、操作パネル２４の表示部での表示画面も変更する。そしてこののちにＣＰＵ１１は、ステップＳＴ２２のキー操作待ち受け状態に戻る。
【００６０】
しかしながらここでは、ユーザは最初にデフォルト条件での読み取りを行おうとしているのであるから、条件の指定は行うことなしにスタートキーを押下する。
【００６１】
スタートキーが押下されたならばＣＰＵ１１は、原稿トレイに原稿がセットされているか否かを確認する（ステップＳＴ２５）。
【００６２】
ここでは、ユーザは少なくとも１枚のシート紙よりなる一連のシート原稿の読み取りをＡＤＦ読取機能により行おうとしているのだから、そのシート原稿をスタートキーを押下するのに先立って原稿トレイにセットしている。
【００６３】
従って、ステップＳＴ２５ではＣＰＵ１１は原稿トレイに原稿があると判定できる。そしてこの場合にＣＰＵ１１は、原稿サイズが「ＮＵＬＬ」に設定されているか否かを確認する（ステップＳＴ２６）。そして原稿サイズが「ＮＵＬＬ」に設定されているとき、すなわち今回のビルトジョブにおいて最初の原稿読取を行うときであるならば、ＣＰＵ１１は原稿サイズを「ＡＤＦサイズ」に設定する（ステップＳＴ２７）。しかし、原稿サイズとして既に「ＮＵＬＬ」以外が設定されているのであれば、ＣＰＵ１１は原稿サイズを変更することなしにそのままとする。ここでは、最初の読み取りを行おうとしているのであるから、原稿サイズは「ＡＤＦサイズ」に設定される。
【００６４】
続いてＣＰＵ１１は、ＡＤＦ読取機能による原稿読取を行うためのＡＤＦ入力処理を実行する（ステップＳＴ２８）。このＡＤＦ入力処理は、原稿トレイにセットされたシート原稿を原稿搬送機構部１８によって１枚ずつ原稿台上へと搬送しつつ、これにより原稿台上に載置されたシート原稿を、イメージセンサ移送機構部１７によって副走査させつつイメージセンサ１５により主走査を行って読み取る周知の処理である。そしてイメージセンサ１５および画処理部１６により生成された画像データは、画像メモリ１４に格納される。このとき、今回のビルトジョブ中に既に画像メモリ１４へと格納された画像データが存在するならば、新たに生成された画像データは既に格納されていた画像データに続くものとして画像メモリ１４中で管理する。
【００６５】
このＡＤＦ入力処理は、通常は原稿トレイにセットされた全てのシート原稿の読み取りが完了するまで行われる。しかし、途中でユーザによる中断指示がなされた場合には、それまでの読み取りのみを有効とする。そして、これらのいずれの方法によりＡＤＦ入力処理が終了した場合にも、ＣＰＵ１１は以下の処理を継続して行う。
【００６６】
なお、このＡＤＦ入力処理が実行されている最中には、操作パネル２４の表示部には、図３に示す表示画面ＳＣ４が表示される。
【００６７】
ＡＤＦ入力処理が終了したならばＣＰＵ１１は、総原稿枚数（今回のビルトジョブ処理の開始時に「０」にリセットされている）に今回のＡＤＦ入力処理による読取枚数を加算して総原稿枚数を更新する（ステップＳＴ２９）。
【００６８】
こののちＣＰＵ１１は、操作パネル２４にてユーザによるキー操作がなされるのを待ち受ける（図５のステップＳＴ３０）。このとき操作パネル２４の表示部には、図３に示す表示画面ＳＣ５が表示される。
【００６９】
この状態からユーザが操作パネル２４にて何らかのキー操作を行ったならば、ＣＰＵ１１はそれに応じて、そのキー操作が画質設定キー、濃度設定キーおよびスタートキーのいずれかのキーの押下であるか否かの判断を行う（ステップＳＴ３１乃至ステップＳＴ３３）。
【００７０】
ここでは、ユーザは次にブック原稿を読み取らせるのであるが、その読み取りに際しては読み取り条件のうちの画質を「写真」ならびに濃度を「トナーセーブ」にそれぞれ変更するのであるから、そのための操作が行われる。
【００７１】
まず、画質を変更するべく画質設定キーが押下されたならば、ＣＰＵ１１は画質設定処理を行う（ステップＳＴ３４）。この画質設定処理においては、操作パネル２４の表示部には図３に示す表示画面ＳＣ６が表示される。そしてＣＰＵ１１は、画質を自動モード、写真モードおよび文字モードのいずれとするかの選択指定を受け付けて、Ｅｎｔｅｒキーが押下された際に選択されたモードを以降の原稿読取の際に使用するモードとして設定する。
【００７２】
すなわちここでは、ユーザは画質を「写真」にするのであるから、選択指定を適宜行って図３の表示画面ＳＣ６に示すように「写真モード」にカーソルを合わせた状態でＥｎｔｅｒキーを押下する。これにより、写真モードが以降の原稿読取の際に使用するモードとして設定される。
【００７３】
そして画質設定処理が終了したならば、ＣＰＵ１１はステップＳＴ３０のキー操作待ち受け状態に戻る。したがって、操作パネル２４の表示部には図３に示す表示画面ＳＣ７が表示される。
【００７４】
一方、濃度を変更するべく濃度設定キーが押下されたならば、ＣＰＵ１１は濃度設定処理を行う（ステップＳＴ３５）。この濃度設定処理においては、操作パネル２４の表示部には図３に示す表示画面ＳＣ８が表示される。そしてＣＰＵ１１は、濃度を自動モード、手動モードおよびトナーセーブモードのいずれとするかの選択指定を受け付けて、Ｅｎｔｅｒキーが押下された際に選択されたモードを以降の原稿読取の際に使用するモードとして設定する。
【００７５】
すなわちここでは、ユーザは濃度を「トナーセーブ」にするのであるから、選択指定を適宜行って図３の表示画面ＳＣ８に示すように「トナーセーブモード」にカーソルを合わせた状態でＥｎｔｅｒキーを押下する。これにより、トナーセーブモードが以降の原稿読取の際に使用するモードとして設定される。
【００７６】
そして濃度設定処理が終了したならば、ＣＰＵ１１はステップＳＴ３０のキー操作待ち受け状態に戻る。したがって、操作パネル２４の表示部には図３に示す表示画面ＳＣ９が表示される。
【００７７】
さて、ステップＳＴ３０でのキー操作待ち受け状態では、次原稿読取および印刷開始のいずれかの項目選択操作も受け付けられるのであり、キー操作が画質設定キー、濃度設定キーおよびスタートキーのいずれかのキーの押下ではないのであれば、ＣＰＵ１１はこの項目選択操作を受け付ける（ステップＳＴ３６）。このとき、受け付けられた項目選択操作に応じて、表示画面ＳＣ９でのカーソルＣの表示位置が変更される。
【００７８】
ユーザは、項目選択操作により次原稿読取を選択するとともに、ブック原稿を読み取らせるべくこのブック原稿を原稿台上に載置した上で、スタートキーを押下する。
【００７９】
そうするとＣＰＵ１１は、ステップＳＴ３６にて次原稿読取を選択する項目選択操作を受け付けた後に、ステップＳＴ３０およびステップＳＴ３３にてスタートキーの押下を認識する。
【００８０】
これに応じてＣＰＵ１１は、選択項目が「印刷開始」であるか否かの確認を行う（ステップＳＴ３７）。
【００８１】
ここでは、次原稿読取が選択されているのであるから、ＣＰＵ１１は選択項目は印刷開始ではないと判定し、ステップＳＴ２５に処理を移行する。
【００８２】
さて、このときには原稿台にブック原稿が載置され、原稿トレイには原稿はセットされていないので、ＣＰＵ１１はステップＳＴ２５では原稿トレイには原稿が無いと判定する。
【００８３】
この場合にＣＰＵ１１は続いて、原稿サイズが「ＮＵＬＬ」に設定されているか否かを確認する（ステップＳＴ３８）。そして原稿サイズが「ＮＵＬＬ」に設定されているとき、すなわち今回のビルトジョブにおいて最初の原稿読取を行うときであるならば、ＣＰＵ１１は原稿サイズを「手置きサイズ」に設定する（ステップＳＴ３９）。しかし、原稿サイズとして既に「ＮＵＬＬ」以外が設定されているのであれば、ＣＰＵ１１は原稿サイズを変更することなしにそのままとする。ここでは、原稿サイズは既に「ＡＤＦサイズ」に設定されているから、ＣＰＵ１１はステップＳＴ３９の処理を行わずに原稿サイズを「ＡＤＦサイズ」のままとする。
【００８４】
続いてＣＰＵ１１は、手置き読取機能による原稿読取を行うための手置き入力処理を実行する（ステップＳＴ４０）。この手置き入力処理は、原稿台上に載置された原稿を、イメージセンサ移送機構部１７によって副走査させつつイメージセンサ１５により主走査を行って読み取る周知の処理である。そしてこの手置き入力処理においては、原稿搬送機構部１８は動作しない。そしてイメージセンサ１５および画処理部１６により生成された画像データは、画像メモリ１４に格納される。このとき、今回のビルトジョブ中に既に画像メモリ１４へと格納された画像データが存在するならば、新たに生成された画像データは既に格納されていた画像データに続くものとして画像メモリ１４中で管理する。
【００８５】
なお、この手置き入力処理が実行されている最中には、操作パネル２４の表示部には、図３に示す表示画面ＳＣ１０が表示される。
【００８６】
手置き入力処理が終了したならばＣＰＵ１１は、総原稿枚数に今回の手置き入力処理による読取枚数である「１」を加算して総原稿枚数を更新する（ステップＳＴ４１）。
【００８７】
こののちＣＰＵ１１は、ステップＳＴ３０のキー操作待ち受け状態に移行する。従って、操作パネル２４の表示部には、図３に示す表示画面ＳＣ１１が表示される。
【００８８】
従って、ユーザは必要に応じて画質や濃度の変更設定を行った上で、原稿読取を繰り返させることが可能である。
【００８９】
しかしながら、ここでは全ての原稿の読み取りが終了したので、ユーザは項目選択操作により印刷開始を選択した上で、スタートキーを押下する。
【００９０】
そうするとＣＰＵ１１は、ステップＳＴ３６にて印刷開始を選択する項目選択操作を受け付けた後に、ステップＳＴ３０およびステップＳＴ３３にてスタートキーの押下を認識する。
【００９１】
さらにＣＰＵ１１は、選択項目が「印刷開始」であることをステップＳＴ３７にて判定し、メモリ印刷処理を実行する（ステップＳＴ４２）。このメモリ印刷処理でＣＰＵ１１は、今回のビルトジョブ処理中に画像メモリ１４に格納された一連の画像データのそれぞれを用いて、プリンタ１９により印刷を行わせる。すなわち、複数回の読み取りがなされた場合には、その複数回の読み取りのそれぞれで生成された画像データのそれぞれを用いての印刷をプリンタ１９に行わせる。
【００９２】
なお、このメモリ印刷処理が実行されている最中には、操作パネル２４の表示部には、図３に示す表示画面ＳＣ１２が表示される。
【００９３】
そして印刷が終了したならば、ＣＰＵ１１は今回のビルトジョブ処理を終了する。
【００９４】
以上のように本実施形態によれば、ビルトジョブ処理中においては、読み取りの開始が指示されると、ＡＤＦ読取機能および手置き読取機能のいずれかが選択されてその機能を使用しての原稿読取が行われるが、１回の原稿読取が終了する毎に継続して原稿読取を行うか否かのユーザ指定の受け付けがなされる。そして継続しての原稿読取が指定された場合には、ＡＤＦ読取機能および手置き読取機能のいずれかが選択されてその機能を使用しての原稿読取が行われ、その結果生成される画像データはそれまでの原稿読取により生成された画像データの続きとして画像メモリ１４へと格納される。そして印刷開始が指示されたならば、画像メモリ１４に格納された一連の画像データが、一連のコピー原稿として印刷される。
【００９５】
従って、ユーザは、ＡＤＦ読取機能で読み取るのに適した原稿と、手置き読取機能で読み取るのに適した原稿とを混在させつつ、それらを組み合わせた一連のコピー原稿を得たい場合には、１回のＡＤＦ読取または手置き読取が終了する毎にコピー原稿での順序に従って各原稿を原稿トレイまたは原稿台へとセットしつつ、次原稿読取を指示して行き、そして全ての原稿の読み取りが終了したならば印刷開始を指示することによって、所望とするコピー原稿を印刷させることが可能である。
【００９６】
ここで、１連のコピー原稿の画像データは全て画像メモリ１４に格納されているから、複数部を印刷する場合には、機械式のソータを有していなくても、ソフト制御による印刷順序制御により帳合いやスタックなど様々な形態でのコピー原稿出力を行うことが可能で、ユーザが出力されたコピー原稿を手作業で並べ替える必要はない。
【００９７】
また本実施形態では、ＡＤＦ読取機能および手置き読取機能のいずれで原稿読取を行うかを原稿のセット状況に応じて自動決定することとしているので、ユーザは原稿のセットと読取開始の指示のみを行えば良く、ユーザの負担が軽減される。
【００９８】
また本実施形態では、以上のような複数回の読み取りにより１連のコピー原稿を印刷するためのビルトジョブ処理は、ユーザにより選択された場合にのみ動作する特殊モードとしているため、通常モードでは例えば原稿を読み取った直後に自動的に印刷を開始するなどのようなユーザ操作の簡易なモードとしておくことが可能である。
【００９９】
また本実施形態では、次原稿の読み取りを行うか、あるいは印刷を開始するかのユーザ指定を受け付ける際に、読取条件の指定も受け付け、ここで読み取り条件の指定がなされた場合には以降の読み取りの条件を新たに指定された条件に変更するようにしているので、個々の原稿の状態に応じた適切な条件での読み取りを行うことが可能である。
【０１００】
また本実施形態では、ＡＤＦ読取処理が中断された場合でもビルトジョブ処理は継続し、新たな原稿の読み取りを継続可能となっている。従って例えば、ブック原稿よりも後のページとすべきシート原稿をブック原稿よりも前のページとすべきシート原稿とともに原稿トレイへとユーザが誤ってセットしてしまったとしても、ＡＤＦ読取を適切なタイミングで中断させて、ブック原稿の読み取りを割り込ませることが可能となるなど、運用に柔軟性を持たせることが可能となる。
【０１０１】
なお、本発明は上記実施形態に限定されるものではない。例えば上記実施形態では、本発明に係る原稿読取装置をディジタル複合機に適用しているが、ファクシミリ装置や複写機などのような他の機器に適用することも可能であるし、あるいは生成した画像データを外部機器へと出力するような独立した原稿読取装置として実現することも可能である。すなわち、生成された画像データの使用形態は問わないのであり、従って上記実施形態においても、ビルトジョブ処理はコピー時には限らず、ファクシミリ送信時などにも行えるようにすることも可能である。
【０１０２】
また上記実施形態では、ＡＤＦ読取のため、および手置き読取のために、イメージセンサ１５、画処理部１６およびイメージセンサ移送機構部１７を共通に使用するようにしているが、ＡＤＦ読取のための読取手段と手置き読取のための読取手段とは全く個別としても良い。
【０１０３】
また上記実施形態では、ＡＤＦ読取機能および手置き読取機能のいずれで原稿読取を行うかを、原稿トレイへの原稿のセット状態のみに基づいて決定することとしているが、原稿台への原稿のセット状態のみに基づいてや、原稿トレイおよび原稿台のそれぞれへの原稿のセット状態に基づいて決定するようにしても良い。また、ＡＤＦ読取機能および手置き読取機能のいずれで原稿読取を行うかは、必ずしも自動で決定する必要はなく、どちらの原稿を優先して読み取るかをユーザ指定に基づいて決めるようにしても良い。
【０１０４】
また上記実施形態では、ＡＤＦ読取処理が中断された場合であっても、ビルトジョブを継続することとしているが、ＡＤＦ読取処理の中断にともなってビルトジョブも終了することとしても良い。このようにすれば、ＡＤＦ読取処理中にコピー動作自体を中断させたいような場合には、ユーザは１度の中断指示の操作を行えば良く、ユーザ操作が簡易となる。
【０１０５】
また上記実施形態では、ビルトジョブ処理を特殊モードとしているが、通常時にビルトジョブ処理を実行するようにしても良い。
【０１０６】
このほか、本発明の要旨を逸脱しない範囲で種々の変形実施が可能である。
【符号の説明】
【０１０７】
１…ディジタル複合機、２…ＰＳＴＮ回線、３…パーソナルコンピュータ（ＰＣ）、１１…ＣＰＵ、１２…ＲＯＭ、１３…ＲＡＭ、１４…画像メモリ、１５…イメージセンサ、１６…画処理部、１７…イメージセンサ移送機構部、１８…原稿搬送機構部、１９…プリンタ、２０…符号化・復号化部、２１…網制御回路（ＮＣＵ）、２２…モデム、２３…パーソナルコンピュータインタフェース（ＰＣインタフェース）、２４…操作パネル、２５…システムバス
【図１】
2010183640.tif 000003
【図２】
2010183640.tif 000004
【図３】
2010183640.tif 000005
【図４】
2010183640.tif 000006
【図５】
2010183640.tif 000007